(57)【要約】【課題】できるだけ少ない枚数で、配送処理に必要な貼付票、配達票、納品書、を有する構成からなり、比較的に安いコストで製造でき、更に納品書を貼付票や配達票と共に配送物に貼付させて配送させることができる配送伝票を提供する。【解決手段】伝票基材に、宅配荷物に貼付して使用する荷物貼付部と、宅配荷物の受取人に提出するための納品書部と、が切り取り部を境にして連接されている配送伝票であって、前記伝票基材の荷物貼付部の裏面側に、粘着剤層が形成され、前記粘着剤層の裏面に剥離紙が剥離可能に貼付され、前記剥離紙には、前記配送伝票を被着対象物に貼付した際に、前記剥離紙と前記被着対象物との間に、前記伝票基材の納品書部を挿入させて封入することが可能な領域を残して、他の剥離紙の部分を切り離して、前記粘着剤層から剥離することが可能な切り込みが形成されている。【選択図】        図１
2010194718.tif 000002
【特許請求の範囲】
【請求項１】
伝票基材に、宅配荷物に貼付して使用する荷物貼付部と、宅配荷物の受取人に提出するための納品書部と、が切り取り部を境にして連接されている配送伝票であって、
前記伝票基材の荷物貼付部の裏面側に、粘着剤層が形成され、前記粘着剤層の裏面に剥離紙が剥離可能に貼付され、
前記剥離紙には、前記配送伝票を被着対象物に貼付した際に、前記剥離紙と前記被着対象物との間に、前記伝票基材の納品書部を挿入させて封入することが可能な領域を残して、他の剥離紙の部分を切り離して、前記粘着剤層から剥離することが可能な切り込みが形成されていることを特徴とする配送伝票。
【請求項２】
前記伝票基材の一部に、前記剥離紙と前記被着対象物との間に、前記伝票基材の納品書部を挿入させて封入させた際に、前記伝票基材の挿入部付近の表面と、前記被着対象物の表面とに渡って貼付させるための封緘用シールが設けられていることを特徴とする請求項１記載の配送伝票。
【請求項３】
前記剥離紙に形成されている切り込みが、コの字状に形成されていることを特徴とする請求項１記載の配送伝票。
【発明の詳細な説明】
【技術分野】
【０００１】
本発明は、宅配荷物や配送商品を運送業者が配送する際に、それらの配送物に貼付して使用する配送伝票に関する。
【背景技術】
【０００２】
従来、宅配荷物や配送商品を運送業者が配送する際に、それらの配送物に配送伝票を貼付するなどして処理している。
それらの配送伝票としては、種々の構成のものが知られている。（例えば、特許文献１〜４、参照）
近年、インターネットなどの通信技術の発展も影響して、特にネット上で商品の購入を行い、それらの購入商品を、宅配便を使用して届ける通信販売の利用が増えていることからも、運送会社が取り扱う配送物も多くなっており、運送業者は、取り扱う多くの配送物を、いかに効率的に短時間で処理すべきかといった課題を抱えている。
【０００３】
例えば、配送物に貼付させて使用する配送伝票には、配送物のお届け先を記載して、配送物に貼付させた状態のまま、受取人に渡すことで、受取人が配送物を受け取り後にも、その配送物が誰から送ってきたものであるのかを確認可能とするための貼付票が含まれている。
また、配送伝票には、運送業者が配送物を受取人に配送した際に、その受取人が受け取ったことを証明するサインや捺印をもらうための受領印欄などが表示された配達票が含まれている。
更に、配送伝票には、その配送物が通信販売などの商品である場合には、それらの商品情報が記載された納品書が含まれている。
【０００４】
このように、配送物に貼付させて使用する配送伝票には、貼付票、配達票、納品書、などで構成されており、配送処理を行う際に、配送物に貼付させた後に必要に応じて各々の伝票を切り取るなどして処理している。
【０００５】
しかしながら、配送物の量が増えることは、配送物に貼付させて使用する配送伝票の消費量も増えることから、省資源化の促進という点で問題がある。
更に、配送伝票を構成する伝票用紙の枚数が多いと、配送伝票のコストもかかり経済上の問題もある。
【先行技術文献】
【特許文献】
【０００６】
【特許文献１】特開２０００−３１８３５０号公報
【特許文献２】特開２００２−２１５３号公報
【特許文献３】特開２００４−２９１２９３号公報
【特許文献４】特開２００６−３９４２７号公報
【発明の概要】
【発明が解決しようとする課題】
【０００７】
そこで、本発明は、できるだけ少ない枚数で、配送処理に必要な貼付票、配達票、納品書、を有する構成からなり、比較的に安いコストで製造でき、更に納品書を貼付票や配達票と共に配送物に貼付させて配送させることができる配送伝票を提供する。
【課題を解決するための手段】
【０００８】
本発明の配送伝票は、伝票基材に、宅配荷物に貼付して使用する荷物貼付部と、宅配荷物の受取人に提出するための納品書部と、が切り取り部を境にして連接されている配送伝票であって、前記伝票基材の荷物貼付部の裏面側に、粘着剤層が形成され、前記粘着剤層の裏面に剥離紙が剥離可能に貼付され、前記剥離紙には、前記配送伝票を被着対象物に貼付した際に、前記剥離紙と前記被着対象物との間に、前記伝票基材の納品書部を挿入させて封入することが可能な領域を残して、他の剥離紙の部分を切り離して、前記粘着剤層から剥離することが可能な切り込みが形成されていることを特徴とする。
【０００９】
また、本発明の配送伝票は、前記伝票基材の一部に、前記剥離紙と前記被着対象物との間に、前記伝票基材の納品書部を挿入させて封入させた際に、前記伝票基材の挿入部付近の表面と、前記被着対象物の表面とに渡って貼付させるための封緘用シールが設けられていることを特徴とする。
【００１０】
更に、本発明の配送伝票は、前記剥離紙に形成されている切り込みが、コの字状に形成されていることを特徴とする。
【発明の効果】
【００１１】
したがって、本発明の配送伝票は、宅配荷物に貼付して使用する荷物貼付部と、宅配荷物の受取人に提出するための納品書部と、が切り取り部を境にして連接されており、配送伝票を被着対象物に貼付した際に、配送伝票の剥離紙と被着対象物との間に、伝票基材の納品書部を挿入させて封入することができるので、少ない枚数で、配送処理に必要な貼付票、配達票、納品書、を有し、比較的に安いコストで製造でき、更に納品書を貼付票や配達票と共に配送物に貼付させて配送させることができるという効果がある。
【図面の簡単な説明】
【００１２】
【図１】本発明の実施形態に係る配送伝票の表面側の平面図である。
【図２】図１のＡ−Ａ線断面図である。
【図３】図１のＢ−Ｂ線断面図である。
【図４】図１のＣ−Ｃ線断面図である。
【図５】本発明の実施形態に係る配送伝票の裏面側の平面図である。
【図６】本発明の実施形態に係る配送伝票を切り取り部から切り離した状態の平面図である。
【図７】本発明の実施形態に係る配送伝票を被着対象物に貼付させ、剥離紙と被着対象物との間に納品書部を挿入させる状態を示す図である。
【図８】本発明の実施形態に係る配送伝票を被着対象物に貼付させ、剥離紙と被着対象物との間に納品書部を封入させた状態を示す図である。本発明の実施形態に係るタグラベルシートの平面図である。
【発明を実施するための形態】
【００１３】
以下、本発明の実施形態に係る配送伝票を図面に基づいて詳細に説明する。
図１乃至４に示すように、本発明の実施形態に係る配送伝票１は、矩形状を有する伝票基材２に、宅配荷物に貼付して使用する荷物貼付部３と、宅配荷物の受取人に提出するための納品書部４と、ピッキングリスト部５と、が切り取り部である切り取りミシン６を境にして連接されている。
また、宅配荷物に貼付して使用する荷物貼付部３には、運送業者が配送物を受取人に配送した際に、その受取人が受け取ったことを証明するサインや捺印をもらうための受領印欄などが表示された配達票７と、配送物のお届け先を記載して、配送物に貼付させた状態のまま、受取人に渡すことで、受取人が配送物を受け取り後にも、その配送物が誰から送ってきたものであるのかを確認可能とするための貼付票８と、切り取りミシン６から切り取られた納品書部４を、荷物貼付部３と配送物との間に挿入して封入した後に、挿入部を封緘するための封緘用シール９が設けられている。
【００１４】
伝票基材２の配達票７と貼付票８の裏面には、剥離剤層１０が形成されており、その剥離剤層１０の下面には、接着剤層１１を介してタック基剤１２が接着されている。
また、伝票基材２の表面領域に対して、配達票７と貼付票８をどの程度の領域で設けるかは必要に応じて任意に設定すればよく、伝票基材２において配達票７及び貼付票８以外の部分がある場合には、伝票基材２の裏面に直接的に接着剤層１１を設けてタック基剤１２が接着されている。
伝票基材２において、配達票７、貼付票８、封緘用シール９、とその他の部分とは、伝票基材２に形成された切り込み１９により区分けされている。
更に、タック基剤１２に裏面には、粘着剤層１３が設けられ、その粘着剤層１３の下側には剥離紙１４が剥離可能に貼付されている。
【００１５】
図５には、配送伝票１の裏面側の平面図が示されているが、剥離紙１４には所定部分に切り込み１５が形成されている。
この剥離紙１４に形成された切り込み１５は、コの字状に形成されており、剥離紙１４の中央付近の領域を残して、左右側と下側の部分を粘着剤層から剥離することができるようになっている。
これは、配送伝票１を被着対象物である配送物に貼付した際に、剥離紙１４と被着対象物である配送物との間に、伝票基材２の納品書部４を挿入させて封入することが可能な領域を残して、他の剥離紙１４の部分を切り離して、粘着剤層１３から剥離することができるようになっている。
【００１６】
また、伝票基材２の納品書部４及びピッキングリスト部５の裏面には、接着剤層１６が設けれ、その接着剤層１６によりその下側に用紙１７が接着されている。
この伝票基材２の裏面に接着されている用紙１７は、伝票基材２の荷物貼付部３の厚みと同様の厚みを有する程度の厚みの用紙を用いることが好ましい。
これは、配送伝票１の全体の厚みを同一にする方が、取り扱いをしやすく、更に厚みが異なると、取り扱いの際に切れてしまうなどの問題が生じることが予防する効果がある。
また、接着剤層１１とタック基剤１２の間と、接着剤層１６と用紙１７との間には、それぞれ目止め層２０が設けられている。
この目止め層２０は、接着剤層１１及び接着剤層１６の接着剤の浸透を防止するもので、用紙全面に印刷されている。
【００１７】
また、伝票基材２の裏面に接着されている用紙１７にも、伝票基材２に形成された切り取りミシン６が同様に形成されており、伝票基材２を切り取る際に用紙１７も一緒に切り取れるようになっている。
更に、図５に示すように、用紙１７には、上下方向に対して略中央の位置に、横方向に形成された切り込み１８が形成されている。
この切り込み１８は、用紙１７の部分だけに形成されており、伝票基材２の部分には切り込みが形成されていない。
つまり、この切り込み１８が、用紙１７の部分だけに形成されていることで、伝票基材２を切り取りミシン６から納品書部４を切り取った際に、切り取り後に納品書部４を切り込み１８から簡単に２つ折りできるようになっている。
これは、納品書部４を切り込み１８から２つ折りすることで、納品書部４を小さなサイズにして、配送伝票１を被着対象物である配送物に貼付した際に、剥離紙１４と被着対象物である配送物との間に、納品書部４を挿入しやすくしてある。
【００１８】
次に、本発明の実施形態に係る配送伝票１の使用方法について説明する。
まず、表面側に必要事項が記載された配送伝票１を使用する場合には、図６に示すように、切り取りミシン６から切り取ることで、宅配荷物に貼付して使用する荷物貼付部３と、宅配荷物の受取人に提出するための納品書部４と、ピッキングリスト部５と、に分離させる。
次に、荷物貼付部３の裏面側に貼付されている剥離紙１４に対して、剥離紙１４に形成されたコの字状の切り込み１５から中央部分を残して外側の部分を剥離させる。
この際に、封緘用シール９の側に形成されている切り込み１９については、図３に示すように伝票基材２からタック基剤１２まで切り込まれており、これにより封緘用シール９が設けられている貼付票８の下端縁を摘んで、封緘用シール９の上側に形成されている切り込み１９から剥離紙１４を剥がせるようになっている。
つまり、貼付票８の下端縁部分が剥離紙１４を剥がす際にきっかけとなるように構成されている。
【００１９】
そして、荷物貼付部３の裏面側に設けられている粘着剤層１３の部分を、被着対象物である配送物２０の所定箇所に押し付けることで、図７に示すように、配送伝票１を配送物２０の表面に貼付させる。
この際、配送伝票１と配送物２０の間には、粘着剤層１３によりコの字状に貼り付けられるので、その中央部分には袋状の隙間ができる。
そして、納品書部４を切り込み１８から２つに折り畳んだ後に、配送伝票１と配送物２０の間に設けられた袋状の隙間に対して上方から挿入させて封入させる。
【００２０】
次に、図８に示すように、既に剥離紙１４を剥がす際に取り去られている伝票基材２の一部分から封緘用シール９を剥離させて、配送伝票１と配送物２０の間に設けられた袋状の隙間に対して、挿入させた挿入部分を塞ぐ状態で貼り付ける。
この封緘用シール９を、挿入部分を塞ぐ状態で貼り付けることにより、配送されている途中でも納品書部４が落ちるなどして紛失することを防ぐことができる。
その後、配送物２０が配送されて受取人に届けられた後には、受取人が封緘用シール９を途中から切り取るなどして、納品書部４を取り出すことで、受取人が納品書部４を入手する。
【００２１】
上記のように、本発明の配送伝票１は、配送伝票を被着対象物に貼付した際に、配送伝票の剥離紙と被着対象物との間に、伝票基材の納品書部を挿入させて封入することができるように構成されている。
したがって、少ない枚数で、配送処理に必要な貼付票、配達票、納品書、を有し、比較的に安いコストで製造でき、更に納品書を貼付票や配達票と共に配送物に貼付させて配送させることができる。
【符号の説明】
【００２２】
１  配送伝票
２  伝票基材
３  荷物貼付部
４  納品書部
５  ピッキングリスト部
６  切り取りミシン
７  配達票
８  貼付票
９  封緘用シール
１０  剥離剤層
１１，１６  接着剤層
１２  タック基剤
１３  粘着剤層
１４  剥離紙
１５，１８，１９  切り込み
１７  用紙
２０  目止め層
【図１】
2010194718.tif 000003
【図２】
2010194718.tif 000004
【図３】
2010194718.tif 000005
【図４】
2010194718.tif 000006
【図５】
2010194718.tif 000007
【図６】
2010194718.tif 000008
【図７】
2010194718.tif 000009
【図８】
2010194718.tif 000010